(57)【要約】【課題】  利便性を向上することができる画像形成システムを提供する。【解決手段】  マルチコピー機は、操作部を備えるＭＦＰと、操作部を備え、ＭＦＰに接続されてＭＦＰの機能を補強するキオスク端末とを備え、ＭＦＰは、ＭＦＰがキオスク端末と接続されている場合（Ｓ１０１でＹＥＳ）に、ＭＦＰの操作部での操作を無効にし（Ｓ１０４）、ＭＦＰがキオスク端末と接続されていない場合（Ｓ１０１でＮＯ）に、ＭＦＰの操作部での操作を無効にしないことを特徴とする。【選択図】  図４
2020061628.tif 000002
【特許請求の範囲】
【請求項１】
操作デバイスを備える画像形成装置と、
操作デバイスを備え、前記画像形成装置に接続されて前記画像形成装置の機能を補強する機能補強装置と
を備え、
前記画像形成装置は、前記機能補強装置と接続されている場合に、前記画像形成装置の前記操作デバイスでの操作を無効にすることを特徴とする画像形成システム。
【請求項２】
前記画像形成装置は、前記機能補強装置と接続されていない場合に、前記画像形成装置の前記操作デバイスでの操作を無効にしないことを特徴とする請求項１に記載の画像形成システム。
【請求項３】
前記画像形成装置および前記機能補強装置の少なくとも１つは、前記画像形成装置の前記操作デバイスでの操作を前記画像形成装置が無効にする場合に、前記画像形成装置の前記操作デバイスに操作が入力されたとき、前記機能補強装置の前記操作デバイスで操作することを促す通知を出力することを特徴とする請求項１または請求項２に記載の画像形成システム。
【請求項４】
前記画像形成装置および前記機能補強装置のうち、前記画像形成装置の前記操作デバイスでの操作を前記画像形成装置が無効にする場合に、前記画像形成装置の前記操作デバイスに操作が入力されたとき、前記通知を出力するものの少なくとも１つは、前記画像形成装置の前記操作デバイスでの操作を前記画像形成装置が無効にする場合に、前記画像形成装置の前記操作デバイスへの操作の入力に応じて前記通知の言語を切り替えることを特徴とする請求項３に記載の画像形成システム。
【発明の詳細な説明】
【技術分野】
【０００１】
本発明は、画像形成装置を備える画像形成システムに関する。
【背景技術】
【０００２】
従来の画像形成システムとして、第１の操作デバイスを備える画像形成装置と、画像形成装置に接続される第２の操作デバイスとを備え、画像形成装置が第２の操作デバイスと接続されている場合に、第１の操作デバイスおよび第２の操作デバイスの一方に対する操作によって、第１の操作デバイスおよび第２の操作デバイスの他方での操作を無効にするものが知られている（例えば、特許文献１参照。）。
【先行技術文献】
【特許文献】
【０００３】
【特許文献１】特開２０１１−０５５３４８号公報
【発明の概要】
【発明が解決しようとする課題】
【０００４】
しかしながら、従来の画像形成システムにおいては、第１の操作デバイスを備える画像形成装置が第２の操作デバイスと接続されている場合に、第１の操作デバイスおよび第２の操作デバイスの一方での操作を無効にするために、第１の操作デバイスおよび第２の他方に対する操作が必要であるので、利便性が悪いという問題がある。
【０００５】
そこで、本発明は、利便性を向上することができる画像形成システムを提供することを目的とする。
【課題を解決するための手段】
【０００６】
本発明の画像形成システムは、操作デバイスを備える画像形成装置と、操作デバイスを備え、前記画像形成装置に接続されて前記画像形成装置の機能を補強する機能補強装置とを備え、前記画像形成装置は、前記機能補強装置と接続されている場合に、前記画像形成装置の前記操作デバイスでの操作を無効にすることを特徴とする。
【０００７】
この構成により、本発明の画像形成システムは、画像形成装置が機能補強装置と接続されている場合に、画像形成装置の操作デバイスでの操作を画像形成装置が無効にするので、画像形成装置の操作デバイスでの操作を無効にするために、機能補強装置の操作デバイスに対する操作の必要が無く、利便性を向上することができる。
【０００８】
本発明の画像形成システムにおいて、前記画像形成装置は、前記機能補強装置と接続されていない場合に、前記画像形成装置の前記操作デバイスでの操作を無効にしなくても良い。
【０００９】
この構成により、本発明の画像形成システムは、画像形成装置が機能補強装置と接続されていない場合に、画像形成装置の操作デバイスでの操作を画像形成装置が無効にしないので、画像形成装置と、機能補強装置との接続が切断されるだけで、画像形成装置の操作デバイスでの操作を有効化することができ、利便性を向上することができる。
【００１０】
本発明の画像形成システムにおいて、前記画像形成装置および前記機能補強装置の少なくとも１つは、前記画像形成装置の前記操作デバイスでの操作を前記画像形成装置が無効にする場合に、前記画像形成装置の前記操作デバイスに操作が入力されたとき、前記機能補強装置の前記操作デバイスで操作することを促す通知を出力しても良い。
【００１１】
この構成により、本発明の画像形成システムは、画像形成装置の操作デバイスでの操作を画像形成装置が無効にする場合に、画像形成装置の操作デバイスに操作が入力されたとき、機能補強装置の操作デバイスで操作することを促す通知を出力するので、操作が無効にされる、画像形成装置の操作デバイスではなく、機能補強装置の操作デバイスに操作を入力するように利用者を誘導することができる。
【００１２】
本発明の画像形成システムにおいて、前記画像形成装置および前記機能補強装置のうち、前記画像形成装置の前記操作デバイスでの操作を前記画像形成装置が無効にする場合に、前記画像形成装置の前記操作デバイスに操作が入力されたとき、前記通知を出力するものの少なくとも１つは、前記画像形成装置の前記操作デバイスでの操作を前記画像形成装置が無効にする場合に、前記画像形成装置の前記操作デバイスへの操作の入力に応じて前記通知の言語を切り替えても良い。
【００１３】
この構成により、本発明の画像形成システムは、画像形成装置の操作デバイスでの操作を画像形成装置が無効にする場合に、画像形成装置の操作デバイスへの操作の入力に応じて、機能補強装置の操作デバイスで操作することを促す通知の言語を切り替えるので、利便性を向上することができる。
【発明の効果】
【００１４】
本発明の画像形成システムは、利便性を向上することができる。
【図面の簡単な説明】
【００１５】
【図１】本発明の一実施の形態に係るマルチコピー機の外観斜視図である。
【図２】図１に示すＭＦＰのブロック図である。
【図３】図１に示すキオスク端末のブロック図である。
【図４】タッチパネルでの表示に関する図２に示すＭＦＰの動作の一部のフローチャートである。
【図５】図４に示す動作の続きのフローチャートである。
【図６】図２に示すタッチパネルに表示される接続済み画面の一例を示す図である。
【図７】図２に示すタッチパネルに表示される日本語版操作案内画面の一例を示す図である。
【図８】図２に示すタッチパネルに表示される認証画面の一例を示す図である。
【図９】スピーカーでの報知に関する図３に示すキオスク端末の動作のフローチャートである。
【発明を実施するための形態】
【００１６】
以下、本発明の実施の形態について、図面を用いて説明する。
【００１７】
まず、本発明の一実施の形態に係る画像形成システムとしてのマルチコピー機の構成について説明する。
【００１８】
図１は、本実施の形態に係るマルチコピー機１０の外観斜視図である。
【００１９】
図１に示すように、マルチコピー機１０は、画像形成装置としてのＭＦＰ（Ｍｕｌｔｉｆｕｎｃｔｉｏｎ  Ｐｅｒｉｐｈｅｒａｌ）２０と、ＭＦＰ２０の機能を補強する機能補強装置としてのキオスク端末３０とを備えている。ＭＦＰ２０と、キオスク端末３０とは、隣り合って配置されている。例えば、キオスク端末３０は、ＭＦＰ２０の左側に配置されている。マルチコピー機１０は、例えば、コンビニエンスストアなどの小売業の店舗などに設置される。
【００２０】
ＭＦＰ２０と、キオスク端末３０とは、ＬＡＮ（Ｌｏｃａｌ  Ａｒｅａ  Ｎｅｔｗｏｒｋ）を介して互いに通信可能に接続されている。ＭＦＰ２０と、キオスク端末３０との接続の切断方法としては、例えば、ＭＦＰ２０と、キオスク端末３０とがＬＡＮケーブルで接続されている場合にＭＦＰ２０およびキオスク端末３０の少なくとも一方からＬＡＮケーブルを抜く方法、ＭＦＰ２０およびキオスク端末３０の少なくとも一方の電源を切断する方法、ＭＦＰ２０と、キオスク端末３０との間の通信を制御するアプリケーションソフトをＭＦＰ２０およびキオスク端末３０の少なくとも一方において終了させる方法などが存在する。
【００２１】
図２は、ＭＦＰ２０のブロック図である。
【００２２】
図１および図２に示すように、ＭＦＰ２０は、種々の操作が入力される例えばボタンなどの操作デバイスである操作部２１と、用紙などの記録媒体に画像を印刷する印刷デバイスであるプリンター２２と、原稿から画像を読み取る読取デバイスであるスキャナー２３と、図示していない外部のファクシミリ装置と公衆電話回線などの通信回線経由でファックス通信を行うファックスデバイスであるファックス通信部２４と、ＬＡＮ、インターネットなどのネットワーク経由で、または、ネットワークを介さずに有線または無線によって直接に、外部の装置と通信を行う通信デバイスである通信部２５と、各種の情報を記憶する例えば半導体メモリー、ＨＤＤ（Ｈａｒｄ  Ｄｉｓｋ  Ｄｒｉｖｅ）などの不揮発性の記憶デバイスである記憶部２６と、ＭＦＰ２０全体を制御する制御部２７とを備えている。
【００２３】
操作部２１は、種々の情報を表示するとともに種々の操作が入力されるタッチパネル２１ａを備えている。
【００２４】
制御部２７は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、制御部２７のＣＰＵの作業領域として用いられるメモリーとしてのＲＡＭ（Ｒａｎｄｏｍ  Ａｃｃｅｓｓ  Ｍｅｍｏｒｙ）とを備えている。制御部２７のＣＰＵは、記憶部２６または制御部２７のＲＯＭに記憶されているプログラムを実行する。
【００２５】
図３は、キオスク端末３０のブロック図である。
【００２６】
図１および図３に示すように、キオスク端末３０は、種々の操作が入力される操作デバイスである操作部３１と、写真を印刷する印刷デバイスである写真プリンター３２と、ＵＳＢ（Ｕｎｉｖｅｒｓａｌ  Ｓｅｒｉａｌ  Ｂｕｓ）メモリーなどの外部の記憶媒体と通信を行うメディアカードリーダー３３と、マルチコピー機１０の利用料金を徴収する料金徴収装置３４と、料金徴収装置３４によって徴収した利用料金のレシートを印刷する印刷デバイスであるレシートプリンター３５と、スピーカー３６と、ＬＡＮ、インターネットなどのネットワーク経由で、または、ネットワークを介さずに有線または無線によって直接に、外部の装置と通信を行う通信デバイスである通信部３７と、各種の情報を記憶する例えば半導体メモリー、ＨＤＤなどの不揮発性の記憶デバイスである記憶部３８と、キオスク端末３０全体を制御する制御部３９とを備えている。
【００２７】
操作部３１は、種々の情報を表示するとともに種々の操作が入力されるタッチパネル３１ａを備えている。
【００２８】
キオスク端末３０のタッチパネル３１ａの画面サイズは、ＭＦＰ２０のタッチパネル２１ａの画面サイズより大きい。
【００２９】
写真プリンター３２は、印刷した写真が取り出される写真取り出し口３２ａを備えている。
【００３０】
料金徴収装置３４は、硬貨が投入される硬貨投入口３４ａと、硬貨が返却される硬貨返却口３４ｂとを備えている。
【００３１】
レシートプリンター３５は、印刷したレシートが取り出されるレシート取り出し口３５ａを備えている。
【００３２】
記憶部３８は、ＭＦＰ２０のＩＰ（Ｉｎｔｅｒｎｅｔ  Ｐｒｏｔｏｃｏｌ）アドレス３８ａを記憶している。
【００３３】
制御部３９は、例えば、ＣＰＵと、プログラムおよび各種のデータを記憶しているＲＯＭと、制御部３９のＣＰＵの作業領域として用いられるメモリーとしてのＲＡＭとを備えている。制御部３９のＣＰＵは、記憶部３８または制御部３９のＲＯＭに記憶されているプログラムを実行する。
【００３４】
制御部３９は、ＭＦＰ２０と、キオスク端末３０との間の通信を制御するアプリケーションソフトを実行している場合、ＩＰアドレス３８ａで示されるＭＦＰ２０に接続していない場合に、ＩＰアドレス３８ａで示されるＭＦＰ２０への接続を試みる。
【００３５】
図１に示すマルチコピー機１０は、タッチパネル３１ａに表示された操作画面３１ｂに対する操作に応じて様々なサービスを提供することができる。例えば、マルチコピー機１０は、スキャナー２３によって原稿から読み取った画像をプリンター２２によって印刷する「コピー」のサービス、スキャナー２３によって原稿から読み取った画像をファックス通信部２４（図２参照。）によってファックス送信する「ファックス」のサービス、スキャナー２３によって原稿から読み取った画像をメディアカードリーダー３３を介してＵＳＢメモリーなどの外部の記憶媒体に保存する「スキャン」のサービス、図示していない外部のデータ管理システムによって管理されているデータを通信部３７（図３参照。）および通信部２５（図２参照。）経由で受信して、受信したデータに基づいてプリンター２２または写真プリンター３２（図３参照。）によって印刷を実行する「ネットワークプリント」のサービス、メディアカードリーダー３３を介してＵＳＢメモリーなどの外部の記憶媒体から取得した、または、通信部２５および通信部３７の少なくとも一方によって外部から無線通信で取得した文書データに基づいてプリンター２２によって文書を印刷する「文書プリント」のサービス、メディアカードリーダー３３を介してＵＳＢメモリーなどの外部の記憶媒体から取得した、または、通信部２５および通信部３７の少なくとも一方によって外部から無線通信で取得した画像データに基づいて写真プリンター３２によって写真を印刷する「写真プリント」のサービス、図示していない外部のコンテンツ提供システムから提供されるコンテンツをプリンター２２または写真プリンター３２によって印刷する「コンテンツプリント」のサービスなどが含まれる。
【００３６】
なお、マルチコピー機１０において、ＭＦＰ２０のタッチパネル２１ａは、基本的には利用されない。しかしながら、ＭＦＰ２０と同一のモデルのＭＦＰは、マルチコピー機の一部としてだけでなく、ＭＦＰ単独で設置されることもある。したがって、ＭＦＰ２０は、タッチパネル２１ａを備えている。
【００３７】
次に、マルチコピー機１０の動作について説明する。
【００３８】
まず、タッチパネル２１ａでの表示に関するＭＦＰ２０の動作について説明する。
【００３９】
図４および図５は、タッチパネル２１ａでの表示に関するＭＦＰ２０の動作のフローチャートである。
【００４０】
図４および図５に示すように、ＭＦＰ２０の制御部２７は、キオスク端末３０と接続しているか否かを判断する（Ｓ１０１）。
【００４１】
制御部２７は、キオスク端末３０と接続しているとＳ１０１において判断すると、操作部２１に操作が入力されたか否かを判断する（Ｓ１０２）。
【００４２】
制御部２７は、操作部２１に操作が入力されていないとＳ１０２において判断すると、キオスク端末３０と接続済みであることを示す接続済み画面４０（図６参照。）をタッチパネル２１ａに表示する（Ｓ１０３）。
【００４３】
図６は、タッチパネル２１ａに表示される接続済み画面４０の一例を示す図である。
【００４４】
図６に示す接続済み画面４０は、キオスク端末３０と接続済みであることを示す「Ｃｏｎｎｅｃｔｅｄ」という白字４１が右下に小さく示されている以外は、真っ黒の画面である。
【００４５】
図４および図５に示すように、制御部２７は、Ｓ１０３の処理の後、Ｓ１０１の処理を実行する。
【００４６】
制御部２７は、操作部２１に操作が入力されたとＳ１０２において判断すると、操作部２１に対する操作のイベントを破棄する（Ｓ１０４）。すなわち、制御部２７は、操作部２１での操作を無効にする。
【００４７】
制御部２７は、Ｓ１０４の処理の後、キオスク端末３０のタッチパネル３１ａで操作することを日本語で案内する日本語版操作案内画面５０（図７参照。）をタッチパネル２１ａに表示する（Ｓ１０５）。
【００４８】
図７は、タッチパネル２１ａに表示される日本語版操作案内画面５０の一例を示す図である。
【００４９】
図７に示す日本語版操作案内画面５０は、キオスク端末３０のタッチパネル３１ａで操作することを案内する日本語のメッセージ５１と、キオスク端末３０のタッチパネル３１ａで操作することを案内する画像５２とを含んでいる。
【００５０】
図４および図５に示すように、制御部２７は、Ｓ１０５の処理の後、キオスク端末３０のタッチパネル３１ａで操作することを日本語で報知することをキオスク端末３０に指示する（Ｓ１０６）。
【００５１】
次いで、制御部２７は、自身によって実現するタイマーが示す時間を特定の時間に設定し（Ｓ１０７）、タイマーが示す時間のカウントダウンを開始する（Ｓ１０８）。
【００５２】
次いで、制御部２７は、キオスク端末３０と接続しているか否かを判断する（Ｓ１０９）。
【００５３】
制御部２７は、キオスク端末３０と接続しているとＳ１０９において判断すると、操作部２１に操作が入力されたか否かを判断する（Ｓ１１０）。
【００５４】
制御部２７は、操作部２１に操作が入力されていないとＳ１１０において判断すると、タイマーが示す時間がゼロに達したか否かを判断する（Ｓ１１１）。
【００５５】
制御部２７は、タイマーが示す時間がゼロに達していないとＳ１１１において判断すると、Ｓ１０９の処理を実行する。
【００５６】
制御部２７は、タイマーが示す時間がゼロに達したとＳ１１１において判断すると、Ｓ１０１の処理を実行する。
【００５７】
制御部２７は、操作部２１に操作が入力されたとＳ１１０において判断すると、操作部２１に対する操作のイベントを破棄する（Ｓ１１２）。すなわち、制御部２７は、操作部２１での操作を無効にする。
【００５８】
制御部２７は、Ｓ１１２の処理の後、キオスク端末３０のタッチパネル３１ａで操作することを英語で案内する英語版操作案内画面をタッチパネル２１ａに表示する（Ｓ１１３）。ここで、英語版操作案内画面は、キオスク端末３０のタッチパネル３１ａで操作することを案内するメッセージが英語であること以外、日本語版操作案内画面５０（図７参照。）と同様の画面である。
【００５９】
制御部２７は、Ｓ１１３の処理の後、キオスク端末３０のタッチパネル３１ａで操作することを英語で報知することをキオスク端末３０に指示する（Ｓ１１４）。
【００６０】
次いで、制御部２７は、タイマーが示す時間を特定の時間に設定し（Ｓ１１５）、タイマーが示す時間のカウントダウンを開始する（Ｓ１１６）。
【００６１】
次いで、制御部２７は、キオスク端末３０と接続しているか否かを判断する（Ｓ１１７）。
【００６２】
制御部２７は、キオスク端末３０と接続しているとＳ１１７において判断すると、操作部２１に操作が入力されたか否かを判断する（Ｓ１１８）。
【００６３】
制御部２７は、操作部２１に操作が入力されていないとＳ１１８において判断すると、タイマーが示す時間がゼロに達したか否かを判断する（Ｓ１１９）。
【００６４】
制御部２７は、タイマーが示す時間がゼロに達していないとＳ１１９において判断すると、Ｓ１１７の処理を実行する。
【００６５】
制御部２７は、タイマーが示す時間がゼロに達したとＳ１１９において判断すると、Ｓ１０１の処理を実行する。
【００６６】
制御部２７は、操作部２１に操作が入力されたとＳ１１８において判断すると、Ｓ１０４の処理を実行する。
【００６７】
制御部２７は、キオスク端末３０と接続していないとＳ１０１、Ｓ１０９またはＳ１１７において判断すると、ＭＦＰ２０のメンテナンスのための管理者の認証画面６０（図８参照。）をタッチパネル２１ａに表示する（Ｓ１２０）。
【００６８】
図８は、タッチパネル２１ａに表示される認証画面６０の一例を示す図である。
【００６９】
図８に示す認証画面６０は、ログインするユーザーのユーザー名を入力するためのソフトウェアキーボードを表示するためのボタン６１と、ボタン６１が押されたことによって表示されたソフトウェアキーボードから入力されるユーザー名を表示するテキストボックス６２と、ログインするユーザーのパスワードを入力するためのソフトウェアキーボードを表示するためのボタン６３と、ボタン６３が押されたことによって表示されたソフトウェアキーボードから入力されるパスワードを表示するテキストボックス６４と、テキストボックス６２に表示されているユーザー名、および、テキストボックス６４に表示されているパスワードに基づいてユーザーの認証を実行するためのＯＫボタン６５と、ユーザーの認証をキャンセルするためのキャンセルボタン６６とを含んでいる。
【００７０】
図４および図５に示すように、制御部２７は、Ｓ１２０の処理の後、認証画面６０を利用した管理者の認証が成功したか否かを判断する（Ｓ１２１）。
【００７１】
制御部２７は、認証画面６０を利用した管理者の認証が成功したとＳ１２１において判断すると、管理者のログアウトが操作部２１を介して指示されたと判断するまで、管理者のログアウトが操作部２１を介して指示されたか否かを判断する（Ｓ１２２）。
【００７２】
なお、制御部２７は、認証画面６０を利用した管理者の認証が成功したとＳ１２１において判断すると、管理者のログアウトが操作部２１を介して指示されたとＳ１２２において判断するまで、ＭＦＰ２０のメンテナンスのための指示を操作部２１を介して受け付けることが可能である。
【００７３】
制御部２７は、管理者のログアウトが操作部２１を介して指示されたとＳ１２２において判断すると、Ｓ１２０の処理を実行する。
【００７４】
制御部２７は、認証画面６０を利用した管理者の認証が成功していないとＳ１２１において判断すると、キャンセルボタン６６が押されたか否かを判断する（Ｓ１２３）。
【００７５】
制御部２７は、キャンセルボタン６６が押されていないとＳ１２３において判断すると、Ｓ１２１の処理を実行する。
【００７６】
制御部２７は、キャンセルボタン６６が押されたとＳ１２３において判断すると、Ｓ１０１の処理を実行する。
【００７７】
次に、スピーカー３６での報知に関するキオスク端末３０の動作について説明する。
【００７８】
図９は、スピーカー３６での報知に関するキオスク端末３０の動作のフローチャートである。
【００７９】
図９に示すように、キオスク端末３０の制御部３９は、タッチパネル３１ａで操作することを日本語で報知することがＭＦＰ２０から指示されたか否かを判断する（Ｓ１４１）。
【００８０】
制御部３９は、タッチパネル３１ａで操作することを日本語で報知することがＭＦＰ２０から指示されたとＳ１４１において判断すると、タッチパネル３１ａで操作することを日本語でスピーカー３６によって報知する（Ｓ１４２）。例えば、制御部３９は、「こちらのタッチパネルで操作してください。」などの音声をＳ１４２においてスピーカー３６から出力する。
【００８１】
制御部３９は、タッチパネル３１ａで操作することを日本語で報知することがＭＦＰ２０から指示されていないとＳ１４１において判断するか、Ｓ１４２の処理を実行すると、タッチパネル３１ａで操作することを英語で報知することがＭＦＰ２０から指示されたか否かを判断する（Ｓ１４３）。
【００８２】
制御部３９は、タッチパネル３１ａで操作することを英語で報知することがＭＦＰ２０から指示されたとＳ１４３において判断すると、タッチパネル３１ａで操作することを英語でスピーカー３６によって報知する（Ｓ１４４）。
【００８３】
制御部３９は、タッチパネル３１ａで操作することを英語で報知することがＭＦＰ２０から指示されていないとＳ１４３において判断するか、Ｓ１４４の処理を実行すると、Ｓ１４１の処理を実行する。
【００８４】
以上に説明したように、マルチコピー機１０は、ＭＦＰ２０がキオスク端末３０と接続されている場合（Ｓ１０１でＹＥＳ、Ｓ１０９でＹＥＳまたはＳ１１７でＹＥＳ）に、ＭＦＰ２０の操作部２１での操作をＭＦＰ２０が無効にする（Ｓ１０４およびＳ１１２）ので、ＭＦＰ２０の操作部２１での操作を無効にするために、キオスク端末３０の操作部３１に対する操作の必要が無く、利便性を向上することができる。
【００８５】
マルチコピー機１０は、ＭＦＰ２０がキオスク端末３０と接続されていない場合（Ｓ１０１でＮＯ、Ｓ１０９でＮＯまたはＳ１１７でＮＯ）に、ＭＦＰ２０の操作部２１での操作をＭＦＰ２０が無効にしないので、ＭＦＰ２０と、キオスク端末３０との接続が切断されるだけで、ＭＦＰ２０の操作部２１での操作を有効化することができ、利便性を向上することができる。
【００８６】
マルチコピー機１０は、ＭＦＰ２０の操作部２１での操作をＭＦＰ２０が無効にする場合（Ｓ１０４またはＳ１１２）に、ＭＦＰ２０の操作部２１に操作が入力されたとき（Ｓ１０２でＹＥＳ、Ｓ１１０でＹＥＳまたはＳ１１８でＹＥＳ）、キオスク端末３０の操作部３１で操作することを促す通知を出力する（Ｓ１０５、Ｓ１１３、Ｓ１４２、Ｓ１４４）ので、操作が無効にされる、ＭＦＰ２０の操作部２１ではなく、キオスク端末３０の操作部３１に操作を入力するように利用者を誘導することができる。
【００８７】
マルチコピー機１０は、ＭＦＰ２０の操作部２１での操作をＭＦＰ２０が無効にする場合（Ｓ１０４またはＳ１１２）に、ＭＦＰ２０の操作部２１への操作の入力（Ｓ１０２でＹＥＳ、Ｓ１１０でＹＥＳまたはＳ１１８でＹＥＳ）に応じて、キオスク端末３０の操作部３１で操作することを促す通知の言語を切り替える（Ｓ１０５、Ｓ１１３、Ｓ１４２、Ｓ１４４）ので、利便性を向上することができる。
【００８８】
なお、マルチコピー機１０は、本実施の形態において、キオスク端末３０の操作部３１で操作することを促す通知の言語として日本語および英語を切り替える。しかしながら、マルチコピー機１０は、キオスク端末３０の操作部３１で操作することを促す通知の言語としていずれの言語を採用しても良い。
【００８９】
ＭＦＰ２０は、本実施の形態において、タッチパネル３１ａで操作することをタッチパネル２１ａによる表示のみによって案内する（Ｓ１０５およびＳ１１３）。しかしながら、ＭＦＰ２０は、タッチパネル３１ａで操作することをタッチパネル２１ａによる表示によって案内することに代えて、または、タッチパネル３１ａで操作することをタッチパネル２１ａによる表示によって案内することに加えて、タッチパネル３１ａで操作することをＭＦＰ２０の図示していないスピーカーによる音声によって案内しても良い。
【００９０】
キオスク端末３０は、本実施の形態において、タッチパネル３１ａで操作することをスピーカー３６による音声のみによって案内する（Ｓ１４２およびＳ１４４）。しかしながら、キオスク端末３０は、タッチパネル３１ａで操作することをスピーカー３６による音声によって案内することに代えて、または、タッチパネル３１ａで操作することをスピーカー３６による音声によって案内することに加えて、タッチパネル３１ａで操作することをタッチパネル３１ａによる表示によって案内しても良い。
【００９１】
本発明の画像形成装置は、本実施の形態においてＭＦＰであるが、プリンター専用機、コピー専用機、ファックス専用機、スキャナー専用機など、ＭＦＰ以外の画像形成装置でも良い。
【符号の説明】
【００９２】
１０  マルチコピー機（画像形成システム）
２０  ＭＦＰ（画像形成装置）
２１  操作部（操作デバイス）
３０  キオスク端末（機能補強装置）
３１  操作部（操作デバイス）
【図１】
2020061628.tif 000003
【図２】
2020061628.tif 000004
【図３】
2020061628.tif 000005
【図４】
2020061628.tif 000006
【図５】
2020061628.tif 000007
【図６】
2020061628.tif 000008
【図７】
2020061628.tif 000009
【図８】
2020061628.tif 000010
【図９】
2020061628.tif 000011